(57)【要約】【課題】ローミング中であることをユーザが知らずに通信が行われる不具合を防止して、通信料金等に関する不要なトラブルを未然に防ぐ。【解決手段】待ち受け状態においてダイヤル操作又はブラウザの起動操作が行われた場合や、ブラウザが起動されている状態でリンクタグが操作された場合に、発信処理、ブラウザの起動処理及びリンク先のアクセス処理を行う前に、接続中の移動通信網が加入先の移動通信網であるかローミング先の移動通信網であるかを判定している。そして、自端末がローミング先の移動通信網に接続されていた場合には、ローミング中であることを示す警告情報メッセージを生成してディスプレイ１５に表示させる。またそれと共に、ＨＯＭＥ復帰キーＨＫをディスプレイ１５に表示させ、ユーザがこのＨＯＭＥ復帰キーＨＫを選択操作すると接続先の移動通信網を選択し直すためのシステム再選択制御を実行する。【選択図】      図１
2008131604.tif 000002
【特許請求の範囲】
【請求項１】
加入先の第１の移動通信網及びローミング先の第２の移動通信網に対し選択的に接続可能な携帯端末において、
通信要求が入力された場合に、接続先の移動通信網が前記第１の移動通信網であるか前記第２の移動通信網であるか否かを判定する判定手段と、
接続先の移動通信網が前記第２の移動通信網と判定された場合に、通信に先立ち、ローミング中であることを示す情報を前記携帯端末のユーザに報知する報知手段と、
接続先の変更要求の入力を受け付ける手段と、
前記変更要求の入力を受け付けた場合に、接続先の移動通信網を前記第１の移動通信網に変更させるための移動通信網の再選択処理を行う手段と
を具備することを特徴とする携帯端末。
【請求項２】
前記判定手段は、待ち受け状態において通話のための発信要求が入力された場合に、接続先の移動通信網が前記第１の移動通信網であるか前記第２の移動通信網であるか否かを判定することを特徴とする請求項１記載の携帯端末。
【請求項３】
前記判定手段は、待ち受け状態においてブラウザの起動要求が入力された場合に、接続先の移動通信網が前記第１の移動通信網であるか前記第２の移動通信網であるか否かを判定することを特徴とする請求項１記載の携帯端末。
【請求項４】
前記判定手段は、ブラウザが起動されている状態で新たなリンク先へのアクセス要求が入力された場合に、接続先の移動通信網が前記第１の移動通信網であるか前記第２の移動通信網であるか否かを判定することを特徴とする請求項１記載の携帯端末。
【請求項５】
前記変更要求の入力を受け付ける手段は、
前記報知手段によるローミング中であることを示す情報の報知動作に連動して、変更要求を入力するためのソフトキーを表示する手段と、
前記ソフトキーの選択操作を、変更要求の入力操作として認識する手段と
を備えることを特徴とする請求項１記載の携帯端末。
【発明の詳細な説明】
【技術分野】
【０００１】
この発明は、ローミング機能を備えた携帯端末に関する。
【背景技術】
【０００２】
移動通信分野では、ユーザが契約している通信事業者のサービスエリア外で、その地域の通信事業者と契約していなくても通信サービスが受けられるようにするために、ローミングと呼ばれるサービスが実施されている。このローミング機能を備えた携帯端末は、例えば自端末が加入している移動通信網からの無線信号を受信できなくなった場合に、受信可能な他の通信事業者が運用する移動通信網をサーチする。そして、このサーチによりローミングが可能な移動通信網が見付かった場合に、この移動通信網の基地局との間で同期を確立して待ち受け状態に移行する。また、ローミング中には、定期的にシステムの再選択制御を行って加入先の移動通信網への接続先の変更を試行する（例えば、特許文献１を参照。）。
【特許文献１】特開２０００−１３８４６号公報
【発明の開示】
【発明が解決しようとする課題】
【０００３】
ところが、このようなローミング機能を備えた従来の携帯端末では、発呼やブラウザを起動しようとした場合に、自端末がローミング先の移動通信網に接続されている場合において、実は同じ場所で契約している通信事業者のサービスエリアの範囲内である場合がある。これは、契約している通信事業者のサービスエリアとローミング先のサービスエリアとが重なる場合において発生しうる。一般に、通信料金は加入先の通信事業者よりローミング先の通信事業者の方が高額である。このため、ユーザが知らずにローミング先の移動通信網を使用して通話やウエブアクセス等の通信を行った場合に、後に高額な通信料金が請求されてトラブルに至る心配があった。
【０００４】
また、このような問題を軽減するために、ローミング中にシステム再選択制御を頻繁に行って可能な限り接続先を加入先の移動通信網にすることも考えられている。しかし、このようにすると、システム再選択制御が実行されるごとに多くの電力が消費されて、バッテリ寿命の短命化を招くという問題がある。
【０００５】
この発明は上記事情に着目してなされたもので、その目的とするところは、できるだけローミングサービスを使わないで通信を行うことにより、通信料金等に関する不要なトラブルを未然に防ぎ、かつ消費電力をおさえることが可能な携帯端末を提供することにある。
【課題を解決するための手段】
【０００６】
上記目的を達成するためにこの発明の一つの観点は、加入先の第１の移動通信網及びローミング先の第２の移動通信網に対し選択的に接続可能な携帯端末において、通信要求が入力された場合に、接続先の移動通信網が上記第１の移動通信網であるか上記第２の移動通信網であるか否かを判定する。そして、接続先の移動通信網が前記第２の移動通信網と判定された場合に、ローミング中であることを示す情報を前記携帯端末のユーザに報知すると共に、接続先の変更要求の入力を受け付けた場合に、接続先の移動通信網を上記第１の移動通信網に変更させるための移動通信網の再選択処理を行うように構成したものである。
【発明の効果】
【０００７】
したがって、自端末がローミング先の第２の移動通信網に接続されていた場合に、通信の開始に先立ちユーザはローミング中であることを確認することが可能となり、さらに接続先変更要求を入力することで接続先を自端末が加入する第１の移動通信網に変更した後通信を開始することが可能となる。  
すなわちこの発明によれば、できるだけローミングサービスを使わないで通信を行うことにより通信料金等に関する不要なトラブルを未然に防ぎ、かつ消費電力をおさえることが可能な携帯端末を提供することができる。
【発明を実施するための最良の形態】
【０００８】
以下、図面を参照してこの発明の実施形態を説明する。  
図１は、この発明の一実施形態における携帯端末の回路構成を示すブロック図である。  
同図において、図示しない移動通信網の基地局から送信された無線信号は、アンテナ１で受信されたのちアンテナ共用器（ＤＵＰ）２を介して受信回路（ＲＸ）３に入力される。受信回路３は、上記受信された無線信号を周波数シンセサイザ（ＳＹＮ）４から出力された局部発振信号とミキシングして中間周波信号に周波数変換（ダウンコンバート）する。そして、このダウンコンバートされた中間周波信号を直交復調して受信ベースバンド信号を出力する。なお、上記周波数シンセサイザ４から発生される局部発振信号の周波数は、制御ユニット１２から出力される制御信号ＳＹＣによって指示される。
【０００９】
上記受信ベースバンド信号はＣＤＭＡ信号処理ユニット６に入力される。ＣＤＭＡ信号処理ユニット６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理ユニット（以後コンパンダと称する）７に入力される。
【００１０】
コンパンダ７は、上記ＣＤＭＡ信号処理ユニット６から出力された受信パケットデータを多重分離部によりメディアごとに分離する。そして、この分離されたメディアごとのデータに対しそれぞれ復号処理を行う。例えば、受信パケットデータにオーディオデータが含まれていれば、このオーディオデータをスピーチコーデックにより復号する。また受信パケットデータにビデオデータが含まれていれば、このビデオデータをビデオコーデックにより復号する。
【００１１】
上記復号処理により得られたディジタルオーディオ信号はＰＣＭ符号処理部（以後ＰＣＭコーデックと称する）８に供給される。ＰＣＭコーデック８は、コンパンダ７から出力されたディジタルオーディオ信号をＰＣＭ復号してアナログオーディオ信号を出力する。このアナログオーディオ信号は、受話増幅器９にて増幅されたのちスピーカ１０より出力される。
【００１２】
上記コンパンダ７のビデオコーデックにより復号されたディジタルビデオ信号は、制御ユニット１２に入力される。制御ユニット１２は、上記コンパンダ７から出力されたディジタルビデオ信号を、ビデオＲＡＭを介してディスプレイ１５に表示する。ディスプレイ１５はＬＣＤ（Liquid Crystal Devise）により構成される。なお、制御ユニット１２は、受信されたビデオデータばかりでなく、図示しないカメラにより撮像されたビデオデータについてもビデオＲＡＭを介してディスプレイ１５に表示する。
【００１３】
また上記コンパンダ７は、受信パケットデータがウエブサイトからダウンロードされたデータの場合には、このダウンロードデータを制御ユニット１２に供給する。制御ユニット１２はブラウザを備え、上記ダウンロードデータをビデオＲＡＭを介してディスプレイ１５に表示する。なお、ディスプレイ１５には、装置の動作モードを表す情報や、着信報知情報、バッテリ１６の残量又は充電状態を表す情報等がそれぞれ、特有のマークＭＫにより表示される。
【００１４】
一方、マイクロホン１１に入力された話者の音声信号は、送話増幅器１８により適正レベルまで増幅されたのち、ＰＣＭコーデック８にてＰＣＭ符号化処理が施され、ディジタルオーディオ信号となってコンパンダ７に入力される。また、図示しないカメラから出力されるビデオ信号は、制御ユニット１２によりディジタル化されてコンパンダ７に入力される。なお、制御ユニット１２においてブラウザにより生成されるウエブサイトのアクセス要求等も、制御ユニット１２からコンパンダ７に入力される。
【００１５】
コンパンダ７は、ＰＣＭコーデック８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット１２から出力されたディジタルビデオ信号を符号化してビデオデータを生成する。そして、これらのオーディオデータ及びビデオデータを多重分離部で所定の伝送フォーマットに従い多重化して送信パケットデータを生成し、この送信パケットデータをＣＤＭＡ信号処理ユニット６へ出力する。なお、制御ユニット１２からウエブサイトのアクセス要求が出力された場合にも、このアクセス要求はパケットに変換されてＣＤＭＡ信号処理ユニット６に出力される。
【００１６】
ＣＤＭＡ信号処理ユニット６は、上記コンパンダ７から出力された送信パケットデータに対し、送信チャネルに割り当てられた拡散符号を用いてスペクトラム拡散処理を施す。そして、その出力信号を送信回路（ＴＸ）５へ出力する。送信回路５は、上記スペクトラム拡散された信号をＱＰＳＫ（Quadrature Phase Shift Keying）方式等のディジタル変調方式を使用して変調する。そして、この変調により生成された送信信号を、周波数シンセサイザ４から発生される局部発振信号と合成して無線信号に周波数変換する。そして、制御ユニット１２により指示される送信電力レベルとなるように上記無線信号を高周波増幅する。この増幅された無線信号は、アンテナ共用器２を介してアンテナ１に供給され、このアンテナ１から接続先の移動通信網の基地局へ向けて送信される。
【００１７】
なお、記憶ユニット１３は、例えばＥＥＰＲＯＭ又はハードディスクを記憶媒体として使用したもので、電話帳データや発着信履歴、受信された電子メール等を記憶するために使用される。  
入力デバイス１４には、ダイヤルキーと、複数の機能キーが設けられている。機能キーは、送信キー、終了キー、電源キー、音量調節キー、モード指定キー及びカーソルキーを含む。１７は電源回路であり、バッテリ１６の出力をもとに所定の動作電源電圧Ｖccを生成して各回路部に供給する。なお、バッテリ１６は図示しない充電回路により充電される。
【００１８】
ところで、制御ユニット１２は主制御部としてマイクロコンピュータを備える。そして、この発明に係わる制御機能として、ローミング中判定機能１２ａと、ローミング中報知制御機能１２ｂと、システム再選択制御機能１２ｃとを有している。これらの機能１２ａ〜１２ｃはいずれも、図示しないプログラムメモリに格納されたアプリケーション・プログラムを上記マイクロコンピュータに実行させることにより実現される。
【００１９】
ローミング中判定機能１２ａは、入力デバイス１４において通信の開始を要求する操作が行われた場合に、接続中の移動通信網、つまり待ち受けのための同期が確立されている移動通信網が、自端末が加入している移動通信網（以後加入先の移動通信網と呼称する）であるか、ローミング先として契約している他の移動通信網（以後ローミング先の移動通信網と呼称する）であるかを判定する。このとき、通信の開始を要求する操作には、待ち受け状態において行われる通話のためのダイヤル操作と、待ち受け状態において行われるブラウザの起動操作と、ブラウザが起動している状態で行われるリンクタグの選択操作と、メールの送信するための操作とが一例として考えられるがこれに限定せず、通信を必要とするための動作の開始操作であればよい。
【００２０】
ローミング中報知制御機能１２ｂは、上記ローミング中判定機能１２ａにより接続中の移動通信網がローミング先の移動通信網であると判定された場合に、通信の開始に先立ち、ローミング中であることを示す警告情報メッセージを生成してディスプレイ１５に表示させる。
【００２１】
システム再選択制御機能１２ｃは、上記ローミング中判定機能１２ａにより接続中の移動通信網がローミング先の移動通信網であると判定された場合に、上記報知メッセージの表示と連動して、接続先の変更を要求するソフトキー（以後ＨＯＭＥ復帰キーと呼称する）をディスプレイ１５に表示させる。そして、このＨＯＭＥ復帰キーが選択操作されると、接続先の移動通信網を選択し直すためのシステム再選択制御を実行する。
【００２２】
次に、以上のように構成された携帯端末の動作を説明する。
【００２３】
（１）発信制御  
図２は制御ユニット１２における発信制御手順と制御内容を示すフローチャート、図５は発呼制御時にディスプレイ１５に表示される画面の一例を示すものである。  
待ち受け状態（図５の５ａ）において、ユーザが発呼のためにダイヤル操作を行ったとする。なお、このダイヤル操作には、入力デバイス１４のダイヤルキーにより電話番号を入力する操作と、電話帳データを読み出して発信相手を選択する操作の両方が含まれる。
【００２４】
制御ユニット１２は、上記ダイヤル操作をステップＳ２１で受け付けると、次にステップＳ２２において、接続中の移動通信網が加入先の移動通信網（ＨＯＭＥ網）であるか、ローミング先の移動通信網であるかを判定する。そして、自端末が加入先の移動通信網に接続されていたとすると、ステップＳ２５に移行して発信キーの操作を監視する。そして、この状態でユーザが入力デバイス１４中の発信キーを押下すると、制御ユニット１２はステップＳ２７に移行して発信処理を行う。
【００２５】
なお、移動中や繁華街や高層ビル街等のように受信電界強度が変化しやすい環境下では、上記発信キーが操作されるまでの期間中に接続先の移動通信網が加入先の移動通信網からローミング先の移動通信網に変更されることもある。このため、制御ユニット１２は上記発信キーの操作を監視しながら、ステップＳ２２により接続先の移動通信網が変更されたか否かも監視する。
【００２６】
一方、自端末がローミング先の移動通信網に接続されていたとする。この場合制御ユニット１２は、ステップＳ２２からステップＳ２３に移行して、ここでローミング中であることを示す警告情報メッセージを生成し、この警告情報メッセージをディスプレイ１５に例えば図５の５ｂに示すように表示させる。警告情報メッセージとしては、例えばローミング中であることを示すマークＭＫが用いられるが、「ローミング中です」のようなメッセージ文でもよい。なお、このとき同時に、警告メッセージ又は警告音をスピーカ１０から出力させるようにしてもよい。
【００２７】
また制御ユニット１２は、上記警告情報メッセージの表示と連動して接続先の変更を要求するソフトキー（ＨＯＭＥ復帰キーＨＫ）を、例えば図５の５ｂに示すようにディスプレイ１５に表示させる。このとき、ＨＯＭＥ復帰キーＨＫの操作を促すガイダンスメッセージを併せて表示するようにしてもよい。このガイダンスメッセージとしては、例えば「加入先の移動通信網への接続変更を希望する場合には、ＨＯＭＥ復帰キーを操作してください。」が考えられる。
【００２８】
上記警告情報メッセージ及びＨＯＭＥ復帰キーＨＫを表示させた状態で制御ユニット１２は、ステップＳ２５で発信キーの操作を監視しながら、ステップＳ２４でＨＯＭＥ復帰キーＨＫの操作を監視する。この状態でユーザが、接続先の移動通信網をローミング先から加入先に変更させるべくＨＯＭＥ復帰キーＨＫを選択し操作したとする。そうすると制御ユニット１２は、ステップＳ２６に移行して、接続先の移動通信網を選択し直すためのシステム再選択制御を実行する。図５の５ｄはこのシステム再選択制御中においてディスプレイ１５に表示される画面の一例を示すものであり、「ＨＯＭＥ網サーチ中」なるメッセージが表示される。
【００２９】
このシステム再選択制御では、先ず基地局から送信されるパイロット信号をもとに接続可能な移動通信網のサーチが行われる。そして、このサーチにより加入先の移動通信網（ＨＯＭＥ網）の基地局が見付かると、この基地局との間で同期を確立するための手順が実行され、この結果同期が確立されると接続先が加入先の移動通信網に変更される。これに対し、上記サーチにより加入先の移動通信網の基地局が見付からなければ、接続先を再びローミング先の移動通信網に戻す。図５の５ｅはＨＯＭＥ網をサーチできた場合の表示画面を、また図５の５ｆはＨＯＭＥ網をサーチできなかった場合の表示画面をそれぞれ示している。
【００３０】
上記システム再選択制御により接続先が加入先の移動通信網（ＨＯＭＥ網）に変更されると、制御ユニット１２はステップＳ２２でローミング中か否かを念のため監視しながらステップＳ２５により発信キーの操作を監視する。そして、この状態で発信キーが押下されれば、ステップＳ２７に移行して発信処理を行う。図５の５ｇはこの発信操作が行われた場合の表示画面を示すものである。かくして、ユーザの操作に応じて接続先を加入先の移動通信網に変更する処理が行われ、以後この加入先の移動通信網を介して通話を行うことができる。
【００３１】
これに対し、上記システム再選択制御を実行しても接続先が加入先の移動通信網に変更されなかった場合には、制御ユニット１２はステップＳ２２からステップＳ２５までの処理を繰り返す。そして、ユーザが発信キーを操作すると、ユーザがローミング先の移動通信網を利用した通話を承認したと判断し、ステップＳ２７に移行してここで発信処理を行う。図５の５ｃは、このローミング先の移動通信網を使用して発信操作が行われた場合の表示画面の一例を示すもので、「ローミングにて発信中  ３０秒１５円です」なるメッセージが表示される。
【００３２】
（２）ブラウザの起動制御  
図３はブラウザの起動を行う場合の制御ユニット１２による制御手順と制御内容を示すフローチャート、図６はブラウザ起動時及び後述するリンク先変更時にディスプレイ１５に表示される画面の一例を示すものである。
【００３３】
待ち受け状態（図６の６ａ）において、ユーザがブラウザを起動するための操作を行ったとする。制御ユニット１２は、上記ダイヤル操作をステップＳ３１で受け付けると、次にステップＳ３２において、接続中の移動通信網が加入先の移動通信網（ＨＯＭＥ網）であるか、ローミング先の移動通信網であるかを判定する。そして、自端末が加入先の移動通信網に接続されていたとすると、ステップＳ３６に移行してブラウザを起動する。
【００３４】
一方、いま仮に自端末がローミング先の移動通信網に接続されていたとする。この場合制御ユニット１２は、ステップＳ３２からステップＳ３３に移行して、ここでローミング中であることを示すマークＭＫと警告情報メッセージを生成し、これらのマークＭＫ及び警告情報メッセージを例えば図６の６ｂに示すようにディスプレイ１５に表示させる。警告情報メッセージとしては、例えば「ローミング中です」のようなメッセージ文が用いられる。なお、このとき同時に、警告メッセージ又は警告音をスピーカ１０から出力させるようにしてもよい。
【００３５】
また制御ユニット１２は、上記マークＭＫ及び警告情報メッセージの表示と連動して接続先の変更を要求するソフトキー（ＨＯＭＥ復帰キーＨＫ）を図６の６ｂに示すようにディスプレイ１５に表示させる。このとき、ＨＯＭＥ復帰キーＨＫの操作を促すガイダンスメッセージを併せて表示するようにしてもよい。このガイダンスメッセージとしては、例えば「加入先の移動通信網への接続変更を希望する場合には、ＨＯＭＥ復帰キーＨＫを操作してください。」が考えられる。
【００３６】
上記警告情報メッセージ及びＨＯＭＥ復帰キーＨＫを表示させた状態で制御ユニット１２は、ステップＳ３４でＨＯＭＥ復帰キーＨＫの操作を監視する。この状態でユーザが、接続先の移動通信網をローミング先から加入先に変更させるべく、上記ＨＯＭＥ復帰キーＨＫの表示開始後一定時間内にＨＯＭＥ復帰キーＨＫを選択操作したとする。そうすると制御ユニット１２は、ステップＳ３７に移行して、接続先の移動通信網を選択し直すためのシステム再選択制御を実行する。図６の６ｄはこのシステム再選択制御中においてディスプレイ１５に表示される画面の一例を示すものであり、「サーチ中です」なるメッセージが表示される。
【００３７】
このシステム再選択制御では、前記（１）で述べた発信制御の場合と同様に、先ず基地局から送信されるパイロット信号をもとに接続可能な移動通信網のサーチが行われる。そして、このサーチにより加入先の移動通信網の基地局が見付かると、この基地局との間で同期を確立するための手順が実行され、この結果同期が確立されると接続先が加入先の移動通信網に変更される。これに対し、上記サーチにより加入先の移動通信網の基地局が見付からなければ、接続先を再びローミング先の移動通信網に戻す。図６の６ｉはＨＯＭＥ網をサーチできなかった場合の表示画面を示している。
【００３８】
上記システム再選択制御により接続先が加入先の移動通信網（ＨＯＭＥ網）に変更されると、制御ユニット１２はステップＳ３２でローミング中か否かを念のため確認したのち、ステップＳ３６に移行してブラウザの起動処理を実行する。図６の６ｅはＨＯＭＥ網においてブラウザが起動された場合の表示画面を示している。かくして、ユーザの操作に応じて接続先を加入先の移動通信網に変更する処理が行われ、以後この加入先の移動通信網を介してウエブサイトの閲覧や情報の検索、コンテンツのダウンロード等を行うことが可能となる。
【００３９】
これに対し、上記システム再選択制御を実行しても接続先が加入先の移動通信網に変更されなかった場合には、制御ユニット１２はステップＳ３２によりローミング中か否かを再度判定し、ステップＳ３３でローミング中であることを示す警告情報メッセージを表示したのち、ステップＳ３４に移行する。そして、ステップＳ３５により上記ＨＯＭＥ復帰キーＨＫの表示開始後一定時間が経過したか否かを監視しながら、ステップＳ３４においてＨＯＭＥ復帰キーＨＫの操作を監視する。この状態で、ＨＯＭＥ復帰キーＨＫが操作されずに上記一定時間が経過すると、制御ユニット１２はユーザがローミング先の移動通信網を利用した通信を承認したと判断し、ステップＳ３６に移行してブラウザの起動処理を実行する。図６の６ｊは、このローミング先の移動通信網を使用してブラウザを起動した場合の表示画面の一例を示すものである。
【００４０】
（３）ブラウザ起動中における制御  
ブラウザが起動している状態で、例えば無線環境が変化して加入先の移動通信網との間の接続状態を維持できなくなると、携帯端末は接続先の移動通信網をローミング先の移動通信網に変更することがある。この場合、接続先が変更されたことをユーザが知らずに検索操作やコンテンツの取得操作を行うと、ローミング先の移動通信網を介して検索情報やコンテンツのダウンロードが行われ、ユーザは後に予想外の通信費用を請求される。
【００４１】
このような不具合を回避するため、制御ユニット１２はブラウザが起動している状態においても、ローミング中であることをユーザが認識できるようにするための制御を実行している。図４はその制御手順と制御内容を示すフローチャートである。
【００４２】
すなわち、制御ユニット１２は、ステップＳ４１でブラウザの終了監視を行いながら、ステップＳ４２でリンクタグの押下を監視している。そして、この状態で新たなリンク先の情報を取得するべくユーザがリンクタグを押下すると、制御ユニット１２はステップＳ４３において、接続中の移動通信網が加入先の移動通信網であるか、ローミング先の移動通信網であるかを判定する。そして、自端末が加入先の移動通信網に接続されていたとすると、ステップＳ４７に移行して、上記リンクタグに応じた新たなリンク先の情報を受信して図６の６ｆに示すようにディスプレイ１５に表示させる。
【００４３】
一方、いま例えば自端末の接続先がローミング先の移動通信網に変更されていたとする。この場合制御ユニット１２は、ステップＳ４３からステップＳ４４に移行して、前記（２）で述べたブラウザ起動時と同様に、ローミング中であることを示す警告情報メッセージを生成して図６の６ｇに示すようにディスプレイ１５に表示させる。またそれと共に、上記警告情報メッセージの表示と連動して接続先の変更を要求するソフトキー（ＨＯＭＥ復帰キーＨＫ）を図６の６ｇに示すようにディスプレイ１５に表示させる。
【００４４】
上記警告情報メッセージ及びＨＯＭＥ復帰キーＨＫを表示させた状態で制御ユニット１２は、ステップＳ４５でＨＯＭＥ復帰キーＨＫの操作を監視する。この状態でユーザがＨＯＭＥ復帰キーＨＫを操作せずに一定時間が経過すると、制御ユニット１２はユーザがローミング先の移動通信網を経由した情報検索又はコンテンツのダウンロード等を承認したと判断し、ステップＳ４７に移行して新たなリンク先の情報を取得して図６の６ｈに示すようにディスプレイ１５に表示する。
【００４５】
これに対しユーザが、接続先の移動通信網をローミング先から加入先に変更させるべく、上記ＨＯＭＥ復帰キーＨＫの表示開始後一定時間内にＨＯＭＥ復帰キーＨＫを選択操作したとする。そうすると制御ユニット１２は、ステップＳ４８に移行して、接続先の移動通信網を選択し直すためのシステム再選択制御を実行する。図６の６ｋはこのシステム再選択制御中においてディスプレイ１５に表示される画面の一例を示すものであり、前記６ｄと同様に「サーチ中です」なるメッセージが表示される。
【００４６】
このシステム再選択制御では、前記（２）で述べたブラウザ起動制御の場合と同様に、先ず基地局から送信されるパイロット信号をもとに接続可能な移動通信網のサーチが行われる。そして、このサーチにより加入先の移動通信網の基地局が見付かると、この基地局との間で同期を確立するための手順が実行され、この結果同期が確立されると接続先が加入先の移動通信網に変更される。これに対し、上記サーチにより加入先の移動通信網の基地局が見付からなければ、接続先を再びローミング先の移動通信網に戻す。図６の６ｎはＨＯＭＥ網をサーチできなかった場合の表示画面を示している。
【００４７】
上記システム再選択制御により接続先が加入先の移動通信網（ＨＯＭＥ網）に変更されると、制御ユニット１２はステップＳ３２でローミング中か否かを念のため確認したのち、ステップＳ３６に移行してブラウザの起動処理を実行する。図６の６ｍはＨＯＭＥ網において新たなリンク先にアクセスされた場合の表示画面を示している。かくして、ユーザの操作に応じて接続先を加入先の移動通信網に変更する処理が行われ、以後この加入先の移動通信網を介してリンク先の変更処理が行われ、この変更後にウエブサイトの閲覧や情報の検索、コンテンツのダウンロード等を行うことが可能となる。
【００４８】
これに対し、上記システム再選択制御を実行しても接続先が加入先の移動通信網に変更されなかった場合には、制御ユニット１２はステップＳ４３によりローミング中か否かを再度判定し、ステップＳ４４でローミング中であることを示す警告情報メッセージを図６の６ｎに示すように表示したのち、ステップＳ４５に移行する。そして、ステップＳ４６により上記ＨＯＭＥ復帰キーＨＫの表示開始後一定時間が経過したか否かを監視しながら、ステップＳ４５においてＨＯＭＥ復帰キーＨＫの操作を監視する。この状態で、ＨＯＭＥ復帰キーＨＫが操作されずに上記一定時間が経過すると、制御ユニット１２はユーザがローミング先の移動通信網を経由した情報検索又はコンテンツのダウンロード等を承認したと判断し、ステップＳ４７に移行して新たなリンク先の情報を取得して図６の６ｏに示すようにディスプレイ１５に表示する。
【００４９】
以上述べたようにこの実施形態では、待ち受け状態においてダイヤル操作又はブラウザの起動操作が行われた場合や、ブラウザが起動されている状態でリンクタグが操作された場合に、発信処理、ブラウザの起動処理及びリンク先のアクセス処理を行う前に、接続中の移動通信網が加入先の移動通信網であるかローミング先の移動通信網であるかを判定している。そして、自端末がローミング先の移動通信網に接続されていた場合には、ローミング中であることを示す警告情報メッセージを生成してディスプレイ１５に表示させる。またそれと共に、ＨＯＭＥ復帰キーＨＫをディスプレイ１５に表示させ、ユーザがこのＨＯＭＥ復帰キーＨＫを選択操作すると接続先の移動通信網を選択し直すためのシステム再選択制御を実行するようにしている。
【００５０】
したがって、自端末がローミング先の移動通信網に接続されていた場合には、発信、ブラウザの起動及びリンク先の変更に先立ち、ユーザはローミング中であることを認識することが可能となり、さらにＨＯＭＥ復帰キーＨＫを操作することで加入先の移動通信網への接続先変更を試みることが可能となる。この結果、ローミング中であることをユーザが知らずに通信が行われる不具合を防止することができ、これにより通信料金等に関する不要なトラブルを防ぐことが可能となる。
【００５１】
また、通信を開始する時点で、必要に応じてユーザによるＨＯＭＥ復帰キーＨＫの操作に応じてシステム再選択制御が実行される。このため、接続先を加入先の移動通信網に復帰させるためにシステム再選択制御を定期的に実行する必要がなくなり、これにより不要な電力消費を低減してバッテリ寿命を延ばすことが可能となる。
【００５２】
なお、この発明は上記実施形態に限定されるものではない。例えば、前記実施形態では接続先の移動通信網がローミング先の通信網だった場合に、ローミング中であることを示す警告情報メッセージとＨＯＭＥ復帰キーＨＫを表示し、これに対しユーザがＨＯＭＥ復帰キーＨＫを操作した場合にシステムの再選択制御を実行するようにした。しかしこれに限らず、接続先の移動通信網がローミング先の通信網だった場合に、先ず自動的にシステム再選択制御を実行して加入先の移動通信網への接続先変更を試み、この変更処理を行っても接続先がローミング先の移動通信網のまま変わらなかった場合にのみ、ローミング中であることを示す警告情報メッセージとＨＯＭＥ復帰キーＨＫを表示するようにしてもよい。このようにすると、システムの再選択制御の自動実行によって接続先が加入先の移動通信網に変更されなかった場合にのみ、ユーザはＨＯＭＥ復帰キーＨＫの操作を行えばよいことになり、これによりユーザの操作性は改善される。
【００５３】
また前記実施形態では、通信の開始に先立ちユーザがＨＯＭＥ復帰キーＨＫを押下することにより、接続先が加入先の移動通信網に変更されるまで何回でも繰り返しシステム再選択制御を行えるように構成した。しかし、これに限らず、ＨＯＭＥ復帰キーＨＫの繰り返し操作回数を一定回数以下に制限するようにしてもよい。このようにすると、システム再選択制御が繰り返し行われることによる消費電力の増大を抑制してバッテリ寿命を延ばすことができる。
【００５４】
その他、携帯端末の種類やその構成、発信制御、ブラウザ起動制御、リンク先変更制御の制御手順と制御内容、移動通信網の種類、警告情報メッセージの内容や報知方法等についても、この発明の要旨を逸脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５５】
【図１】この発明の一実施形態に係わる携帯端末の構成を示すブロック図である。
【図２】図１に示した携帯端末による発呼制御手順とその制御内容を示すフローチャートである。
【図３】図１に示した携帯端末によるブラウザ起動制御手順とその制御内容を示すフローチャートである。
【図４】図１に示した携帯端末によるブラウザ起動中におけるリンク先変更制御手順とその制御内容を示すフローチャートである。
【図５】図２に示した発信制御手順においてディスプレイに表示される画面の一例を示す図である。
【図６】図３及び図４に示したブラウザ起動及びリンク変更時の制御手順においてディスプレイに表示される画面の一例を示す図である。
【符号の説明】
【００５６】
１…アンテナ、２…アンテナ共用器（ＤＵＰ）、３…受信回路（ＲＸ）、４…周波数シンセサイザ（ＳＹＮ）、５…送信回路（ＴＸ）、６…ＣＤＭＡ信号処理ユニット、７…圧縮伸長処理ユニット（コンパンダ）、８…ＰＣＭコーデック、９…受話増幅器、１０…スピーカ、１１…マイクロホン、１２…制御部、１２ａ…制御機能、１２ｂ…制御機能、１３…記憶ユニット、１４…入力デバイス、１５…ディスプレイ、１６…バッテリ、１７…電源回路、１８…送話増幅器、ＭＫ…ローミング中であることを示すマーク、ＨＫ…ＨＯＭＥ復帰キー。
【図１】
2008131604.tif 000003
【図２】
2008131604.tif 000004
【図３】
2008131604.tif 000005
【図４】
2008131604.tif 000006
【図５】
2008131604.tif 000007
【図６】
2008131604.tif 000008